(57)【要約】【課題】  簡易なレンズ構成により、照明領域の均一性を確保することができるプロジェクタその他の表示装置を提供すること。【解決手段】  光源装置２０や液晶パネル６１の形状及び寸法を適宜設定し、クリティカル型の照明光学系４０によって発光部３１の像を液晶パネル６１上にその有効領域をカバーするように投射することにより、液晶パネル６１の有効領域を均一に照明することができ、液晶パネル６１から輝度ムラや色ムラの少ない変調光すなわち像光を射出させることができる。【選択図】  図１
2006126394.tif 000002
【特許請求の範囲】
【請求項１】
有効領域に入射した照明光を変調する光変調装置と、
前記有効領域の輪郭と略相似な輪郭の発光領域を有する発光装置と、
前記発光装置からの光束を前記照明光として前記光変調装置の前記有効領域上に入射させるクリティカル照明系と
を備える表示装置。
【請求項２】
前記発光装置の発光領域は、略全体に亘って略均一な輝度分布を有することを特徴とする請求項１記載の表示装置。
【請求項３】
前記発光装置は、所定波長の光を発生する発光体層と、当該発光体層からの光を受けて蛍光を発生する蛍光体層とを有しており、前記発光領域は、前記蛍光体層の光射出領域に対応することを特徴とする請求項１及び請求項２のいずれか一項記載の表示装置。
【請求項４】
前記発光装置は、固体発光素子を含み、前記発光領域は、当該固体発光素子の面発光層であることを特徴とする請求項１及び請求項２のいずれか一項記載の表示装置。
【請求項５】
前記発光装置は、固体発光素子を含み、前記発光領域は、当該固体発光素子の面発光層上に形成された蛍光体層であることを特徴とする請求項１及び請求項２のいずれか一項記載の表示装置。
【請求項６】
前記発光領域の平面形状は、所定の縦横比の長方形であることを特徴とする請求項１から請求項５のいずれか一項記載の表示装置。
【請求項７】
前記クリティカル照明系は、前記発光装置の前記発光領域の像を、前記光変調装置の前記有効領域に略一致させつつ当該有効領域の周囲にはみ出させるように投影することを特徴とする請求項１から請求項６のいずれか一項記載の表示装置。
【請求項８】
前記クリティカル照明系は、前記発光部装置の発光領域の像を所定の倍率で拡大して、前記光変調装置の有効領域上に投影することを特徴とする請求項１から請求項７のいずれか一項記載の表示装置。
【請求項９】
前記光変調装置から射出される像光を拡大して投影する投影レンズをさらに備えることを特徴とする請求項１から請求項８のいずれか一項記載の表示装置。
【発明の詳細な説明】
【技術分野】
【０００１】
本発明は、液晶パネル等に形成された像を投射等によって表示するプロジェクタその他の表示装置に関する。
【背景技術】
【０００２】
従来のプロジェクタとして、光源から射出された光を集光して色分離したカラー発光面を形成し、このカラー発光面からの光をリレーレンズとフィールドレンズとを介して一対のマイクロレンズアレイからなる光学系に入射させ、その直後に配置されたカラー表示型の液晶パネルを照明するものがある（特許文献１参照）。
【０００３】
また、別のプロジェクタとして、光源から射出された光を一対のマイクロレンズアレイからなる光学系に入射させて均一化し、色分離光学系によって色分離するとともに分離した各色光を個別の光路に導いた後、各色光を各色用の液晶パネルにそれぞれ入射させてこれらを照明するものがある（特許文献２等参照）。
【特許文献１】特開平８ー３１３８４７号公報
【特許文献２】特開平１１−６４９７７号公報
【発明の開示】
【発明が解決しようとする課題】
【０００４】
しかし、前者のプロジェクタでは、色分離したカラー発光面を形成するための光学系を必要とし、さらに、液晶パネルの入射面側にマイクロレンズアレイを配置するため、照明系の構成が複雑になる。
【０００５】
また、後者のプロジェクタでも、マイクロレンズアレイや色分離光学系が必要となり、照明系の構成が複雑になる。
【０００６】
そこで、本発明は、簡易なレンズ構成により、照明領域の均一性を確保することができるプロジェクタその他の表示装置を提供することを目的とする。
【課題を解決するための手段】
【０００７】
上記課題を解決するため、本発明に係る表示装置は、（ａ）有効領域に入射した照明光を変調する光変調装置と、（ｂ）有効領域の輪郭と略相似な輪郭の発光領域を有する発光装置と、（ｃ）発光装置からの光束を照明光として光変調装置の有効領域上に入射させるクリティカル照明系とを備える。
【０００８】
上記表示装置では、クリティカル照明系が、光変調装置の有効領域の輪郭と略相似な輪郭の発光領域を有する発光装置からの光束を、照明光として有効領域上に入射させるので、擬似的な面光源を形成しない簡単な構造の照明系によって、光変調装置の有効領域に対して直接的で効率的な照明を行うことができる。これにより、簡易で効率的な照明系を備える表示装置（例えばプロジェクタ）を提供することができ、表示装置の性能を特に損なうことなく表示装置の小型化やコスト低減を図ることができる。
【０００９】
また、本発明の具体的側面又は態様では、上記表示装置において、発光装置の発光領域が、略全体に亘って略均一な輝度分布を有する。この場合、光変調装置の有効領域を簡単なクリティカル照明系によって略均一に照明することができる。
【００１０】
また、本発明の別の具体的態様では、発光装置が、所定波長の光を発生する発光体層と、当該発光体層からの光を受けて蛍光を発生する蛍光体層とを有しており、発光領域が、蛍光体層の光射出領域に対応する。この場合、蛍光型の光源からの光束を、照明光として有効領域上に効率的に入射させることができる。
【００１１】
また、本発明の別の具体的態様では、発光装置が、固体発光素子を含み、発光領域が、当該固体発光素子の面発光層である。この場合、固体発光素子の面発光層から射出される効率が良く制御性に優れる光束を利用して、光変調装置を照明することができる。
【００１２】
また、本発明の別の具体的態様では、発光装置が、固体発光素子を含み、発光領域が、当該固体発光素子の面発光層上に形成された蛍光体層である。この場合、固体発光素子の面発光層から射出される効率が良く制御性に優れる光束を蛍光体層で適宜変換することによって得た所望の波長特性の光を利用して、光変調装置を照明することができる。
【００１３】
また、本発明の別の具体的態様では、発光領域の平面形状が、所定の縦横比の長方形である。この場合、光変調装置の有効領域も同様の縦横比の長方形となっており、任意の縦横比を有する長方形の有効領域を効率的に照明して画像を表示させることができる。
【００１４】
また、本発明の別の具体的態様では、クリティカル照明系が、発光装置の発光領域の像を、前記光変調装置の前記有効領域に略一致させつつ当該有効領域の周囲にはみ出させるように投影する。この場合、発光装置から射出される光束を無駄なく活用することができ、かつ、有効領域周辺で減光が発生することを防止できる。
【００１５】
また、本発明の別の具体的態様では、クリティカル照明系が、発光部装置の発光領域の像を所定の倍率で拡大して、光変調装置の有効領域上に投影する。この場合、発光領域が比較的小さくても、比較的大きな光変調装置を照明することができる。
【００１６】
また、本発明の別の具体的態様では、光変調装置から射出される像光を拡大して投影する投影レンズをさらに備える。この場合、光変調装置からの透過光又は反射光である像光を拡大してスクリーン等に投影するプロジェクタを実現することができる。
【発明を実施するための最良の形態】
【００１７】
〔第１実施形態〕
図１は、第１実施形態に係る表示装置であるプロジェクタを説明する図である。このプロジェクタ１０は、光源光を発生する光源装置２０と、光源装置２０から射出された光源光を適宜集光する照明光学系４０と、照明光学系４０を経た照明光によって照明される光変調部６０と、光変調部６０からの像光をスクリーン（不図示）に投射する投射レンズ８０とを備える。
【００１８】
ここで、光源装置２０は、例えば青色、赤色、緑色、若しくは略白色の光源光を発生する発光装置２２を、電源等を備える回路基板２３上に実装したものである。発光装置２２は、固体発光素子であるＬＥＤチップ２４を内蔵するものであり、このＬＥＤチップ２４は、樹脂若しくはセラミック製の台座２５上にマウントされており、正面からの光源光の射出が可能になるように透明樹脂製のパッケージ２６中に封入されている。ＬＥＤチップ２４は、その上面に矩形の発光部３１を有しており、この発光部３１全面から略均一に光源光を射出する。つまり、発光部３１は、矩形の面状発光体となっている。なお、ＬＥＤチップ２４は、図示を省略するが、例えばサファイア基板等からなり、かかる基板上の発光部３１は、バンド構造の制御によって多様な波長の光を発生する薄膜状の活性層を挟んで上下に電極層を有しており、上側の電極層上には透明電極層が形成されている。このような透明電極層や下側の電極層には、金属電極が接続されており、回路基板２３側から電力の供給を受けることができるようになっている。
【００１９】
照明光学系４０は、両凸の球面レンズからなるクリティカル照明系であり、光源装置２０の発光部３１から一定の広がり角で射出される光源光を集光して光変調部６０に略均一に入射させる。この際、照明光学系４０は、発光部３１の像を所定の倍率（例えば数倍〜数十倍の倍率）で光変調部６０のうち後述する有効領域に結像する。つまり、発光部３１と光変調部６０の有効領域とは、照明光学系４０に関して共役な位置となっている。
【００２０】
光変調部６０は、照明光学系４０のレンズによって集光された照明光ＩＬが入射する液晶パネル６１と、液晶パネル６１を挟むように配置される１組の偏光フィルタ６３，６４とを備える。ここで、液晶パネル６１と、これを挟む一対の偏光フィルタ６３，６４とは、照明光を２次元的に輝度変調するための液晶ライトバルブすなわち光変調装置を構成する。液晶パネル６１は、入射した照明光ＩＬの偏光方向の空間的分布を変化させるための非発光で透過型の光変調装置であり、液晶パネル６１に入射した照明光ＩＬは、液晶パネル６１に電気的信号として入力された駆動信号或いは画像信号に応じて、画素単位でその偏光状態が調整される。その際、偏光フィルタ６３，６４によって、液晶パネル６１に入射する照明光の偏光方向が調整されるとともに、液晶パネル６１から射出される光から所定の偏光方向の変調光が取り出される。
【００２１】
照明光ＩＬが青色、赤色、緑色、若しくは略白色である場合、液晶パネル６１は、それらの色光を２次元的に変調した画像に対応する像光を形成することができる。なお、照明光ＩＬが略白色である場合、液晶パネル６１の各画素ごとに適当な配列でカラーフィルタを設けることにより、液晶パネル６１に均一に入射する略白色の照明光ＩＬをカラー画像に変調することができる。
【００２２】
投射レンズ８０は、適当なレンズ群からなる投射光学系であり、光変調部６０を経た像光を適当な拡大率でスクリーン（不図示）に投射する。
【００２３】
図２は、図１の光源装置２０と光変調部６０の形状的な関係を説明するものである。図２（ａ）は、光変調部６０に設けた液晶パネル６１の正面構造を示し、図２（ｂ）は、光源装置２０に形成された発光部３１の正面構造を示し、図２（ｃ）は、光源装置２０の発光部３１の側面構造を示す。また、図２（ｄ）は、図２（ｃ）に示す発光部３１の構造の変形例である。
【００２４】
図２（ａ）において、液晶パネル６１は、本体部分７１の周囲を金属枠７２で固定したものであり、金属枠７２の上部からは、信号供給用のケーブルＣＡが延びている。なお、本体部分７１は、図示を省略するが、例えば一対の平行配置されたガラス基板からなり、両ガラス基板の内面側には透明電極がそれぞれ形成されており、両ガラス基板の間には液晶層が挟まれている。本体部分７１は、透明電極間に印加される駆動電力によって画素単位で液晶層の状態を切り替えることができるが、これらの画素全体を含む画素形成領域は、金属枠７２の開口ＡＰに露出する本体部分７１全体ではなく、周辺部を除いた中央側において縦横比が３：４の有効領域ＥＡとなっている。なお、光源装置２０から照明光学系４０を経て液晶パネル６１に入射する照明光ＩＬの領域、すなわち照明領域ＩＡは、有効領域ＥＡに略一致しているが、有効領域ＥＡの周囲にわずかにはみ出した状態となっている。
【００２５】
図２（ｂ）、及び（ｃ）に示すように、発光部３１は長方形の発光体層（すなわち面発光層）であり、縦横比が３：４となっている。つまり、発光部３１の縦横比は、有効領域ＥＡの縦横比と等しくなっており、発光部３１すなわち発光領域の輪郭と、液晶パネル６１の有効領域ＥＡの輪郭とは、略相似になっている。
【００２６】
光源装置２０や液晶パネル６１の形状及び寸法を以上のように設定することで、クリティカル型の簡単な構造の照明光学系４０によって、発光部３１の像を、液晶パネル６１の有効領域ＥＡが無駄なくカバーされるように液晶パネル６１上に投射することができる。これにより、液晶パネル６１の有効領域ＥＡを均一に照明することができ、液晶パネル６１から輝度ムラや色ムラの少ない変調光すなわち像光を射出させることができる。
【００２７】
図２（ｄ）は、図２（ｂ）に示す発光部３１を変形した発光部１３１を示す。この発光部１３１は、半導体材料からなる矩形の面状発光体１３１ａと、面状発光体１３１ａを覆う蛍光体層１３１ｂとを備える。蛍光体層１３１ｂは、発光体層である面状発光体１３１ａから射出される例えば青色の光を緑色や赤色に変換する。この場合、蛍光体層１３１ｂから照明光が射出されるので、蛍光体層１３１ｂすなわち発光領域の輪郭は、図２（ｂ）に示すものと同一サイズになっており、図２（ａ）に示す液晶パネル６１の有効領域ＥＡの輪郭と相似になる。
【００２８】
図３は、図２（ａ）〜２（ｃ）の液晶パネル６１や発光部３１を形状的に変更した例を説明するものである。図３（ａ）は、光変調部６０に設けた液晶パネル２６１の正面構造を示し、図３（ｂ）は、光源装置２０に形成された発光部２３１の正面構造を示し、図３（ｃ）は、光源装置２０の発光部２３１の側面構造を示す。
【００２９】
図３（ａ）において、本体部分２７１は、金属枠２７２の開口ＡＰに露出する本体部分２７１全体ではなく、周辺部を除いた中央側において縦横比が９：１６の有効領域ＥＡ’となっている。なお、図１の光源装置２０から照明光学系４０を経て液晶パネル２６１に入射する照明光ＩＬの領域、すなわち照明領域ＩＡは、有効領域ＥＡ’に略一致しているが、有効領域ＥＡ’の周囲にわずかにはみ出した状態となっている。
【００３０】
図３（ｂ）、及び（ｃ）に示すように、発光部２３１は長方形であり、縦横比が９：１６となっている。つまり、発光部２３１の縦横比は、液晶パネル２６１における有効領域ＥＡ’の縦横比と等しくなっており、発光部２３１すなわち発光領域の輪郭と、液晶パネル２６１の有効領域ＥＡ’の輪郭とは、相似になっている。
【００３１】
以下、本実施形態に係るプロジェクタ１０の動作について説明する。光源装置２０の発光装置２２からの照明光は、クリティカル型の照明光学系４０を経て、光変調部６０の液晶パネル６１に入射する。この液晶パネル６１で変調された像光は、投射レンズ７０に入射して、適当な倍率でスクリーンに投影される。この際、簡単なクリティカル型の照明光学系４０によって、発光部３１の像を、液晶パネル６１の有効領域ＥＡが無駄なくカバーされるように液晶パネル６１上に投射するので、液晶パネル６１の有効領域ＥＡを均一に照明することができる。よって、液晶パネル６１から輝度ムラや色ムラの少ない変調光すなわち像光を射出させることができ、スクリーン上に高品質の画像を投射することができる。
【００３２】
〔第２実施形態〕
以下、第２実施形態のプロジェクタについて説明する。第２実施形態のプロジェクタは、第１実施形態のプロジェクタを光源装置等の構造に関して変更したものであり、特に説明しない部分については、第１実施形態と同様の構成となっているものとする。
【００３３】
図４は、第２実施形態のプロジェクタを説明する図である。このプロジェクタは、図１の光源装置２０を変形して光量を増やした光源装置３２０と、光源装置３２０からの光源光を集光し照明光ＩＬとして光変調部６０の液晶パネル６１上に重畳して均一に入射させる照明光学系３４０とを備える。
【００３４】
ここで、光源装置３２０は、９個の発光装置２２を回路基板２３上に３×３のマトリクス配置して実装したものである。各発光装置２２は、例えば青色、赤色、緑色、若しくは略白色の光源光を発生する固体発光素子であるＬＥＤチップ２４を内蔵する。なお、最終的に液晶パネル６１を照明する照明光ＩＬが略白色である場合、各発光装置２２を白色発光型のものとすることもできるが、例えば９個の発光装置２２のうち３個を青色発光型のものとし、残りのうち３個を赤色発光型のものとし、最後の３個を緑色発光型のものとすることができる。
【００３５】
照明光学系３４０は、マトリクス状に配列されたレンズ要素３４１からなるアレイレンズであり、これらレンズ要素３４１に略対向してマトリクス状に配列された各発光装置２２からの光束を、照明光ＩＬとして液晶パネル６１上に輪郭を一致させて入射させることができる。つまり、個々のレンズ要素３４１は、クリティカル照明系となっており、全体としてもクリティカル照明が達成される。この場合、９個の発光装置２２からの十分な光量の照明光ＩＬを液晶パネル６１上に均一に入射させることができ、単一の液晶パネル６１の均一でムラのない照明を達成することができる。
【００３６】
なお、図面では省略しているが、液晶パネル６１を挟むように１組の偏光フィルタが配置されており、液晶パネル６１に入射する照明光の偏光方向と、液晶パネル６１から射出される変調光の偏光方向とが適宜調整される。
【００３７】
〔第３実施形態〕
以下、第３実施形態のプロジェクタについて説明する。第３実施形態のプロジェクタは、第１実施形態のプロジェクタを所謂３板式に変更したものであり、特に説明しない部分については、第１実施形態と同様の構成となっているものとする。
【００３８】
図５は、第２実施形態のプロジェクタを説明する図である。このプロジェクタ４１０は、各色の光源光を発生する３つの光源装置４２０Ｒ，４２０Ｇ，４２０Ｂと、各光源装置４２０Ｒ，４２０Ｇ，４２０Ｂから射出された光源光を個別に集光する３つの照明光学系４４０Ｒ，４４０Ｇ，４４０Ｂと、各照明光学系４４０Ｒ，４４０Ｇ，４４０Ｂを経た照明光ＩＬＲ，ＩＬＧ，ＩＬＢによってそれぞれ照明される３つの光変調部４６０Ｒ，４６０Ｇ，４６０Ｂと、各光変調部４６０Ｒ，４６０Ｇ，４６０Ｂから射出される変調光を合成するクロスダイクロイックプリズム４９０と、クロスダイクロイックプリズム４９０を経た像光をスクリーン（不図示）に投射する投射レンズ８０とを備える。
【００３９】
各光源装置４２０Ｒ，４２０Ｇ，４２０Ｂは、それぞれ図１に示す第１実施形態の光源装置２０と同様の構造及び形状を有するが、内蔵されるＬＥＤチップ２４からの発光色がそれぞれ赤色、緑色、及び青色で相異なったものとなっている。
【００４０】
各照明光学系４４０Ｒ，４４０Ｇ，４４０Ｂは、それぞれ図１に示す第１実施形態の照明光学系４０と同様のレンズからなり、各光源装置４２０Ｒ，４２０Ｇ，４２０Ｂから射出される光源光を集光し照明光ＩＬＲ，ＩＬＧ，ＩＬＢとして光変調部４６０Ｒ，４６０Ｇ，４６０Ｂにそれぞれ略均一に入射させる。
【００４１】
各光変調部４６０Ｒ，４６０Ｇ，４６０Ｂは、それぞれ図１に示す第１実施形態の光変調部６０と同様の構造及び形状を有しており、図示を省略する各色用の液晶パネルと、これらの液晶パネルを両側から挟む偏光フィルタとを備える。
【００４２】
クロスダイクロイックプリズム４９０は、色合成光学系であり、平面上に形成された赤色光反射用の第１ダイクロイック膜（具体的には誘電体多層膜）４９１と、青色光反射用の第２ダイクロイック膜（具体的には誘電体多層膜）４９２とを、Ｘ字に交差させた状態で内蔵するものである。このクロスダイクロイックプリズム４９０は、光変調部４６０Ｒからの赤色の変調光を第１ダイクロイック膜４９１で反射して進行方向左側に射出させ、光変調部４６０Ｇからの緑色の変調光を両ダイクロイック膜４９１，４９２を介して直進・射出させ、光変調部４６０Ｂからの青色の変調光を第２ダイクロイック膜４９２で反射して進行方向右側に射出させる。
【００４３】
このようにクロスダイクロイックプリズム４９０で合成された像光は、投射光学系である投射レンズ８０を経て、適当な拡大率でスクリーン（不図示）にカラー画像として投射される。
【００４４】
本実施形態においても、光源装置４２０Ｒ，４２０Ｇ，４２０Ｂや光変調部４６０Ｒ，４６０Ｇ，４６０Ｂの形状等を適宜設定し、クリティカル型の照明光学系４４０Ｒ，４４０Ｇ，４４０Ｂによって、各色の光源装置４２０Ｒ，４２０Ｇ，４２０Ｂに設けた発光部の像を、各色の光変調部４６０Ｒ，４６０Ｇ，４６０Ｂに設けた各液晶パネル上にそれぞれの有効領域をカバーするように投射することにより、各色の液晶パネルの有効領域を均一に照明することができ、輝度ムラや色ムラの少ない像光を投射することができる。
【００４５】
〔第４実施形態〕
第４実施形態のプロジェクタは、上記第１〜第３実施形態のプロジェクタをＬＥＤチップ２４の発光部３１に関して変更したものである。
【００４６】
図６（ａ），（ｂ）は、第４実施形態のプロジェクタの光源装置を説明する図である。図６（ａ）は、図２（ｂ）に対応するものであり、光源装置の発光部５３１が、第１〜第３の部分領域５３１ａ〜５３１ｃに分かれている。これらの部分領域５３１ａ〜５３１ｃは、発光部５３１が分離した３つの独立したＬＥＤ素子からなる場合に形成されるが、発光部５３１に設けた電極が遮蔽体となって形成される場合もある。発光部５３１全体としては、長方形で縦横比が３：４の輪郭となっているので、液晶パネル上における有効領域の縦横比は、図２（ａ）に示すように３：４であればよい。この際、液晶パネル上に隙間ＧＡが投影される可能性があるが、隙間ＧＡが狭いならば、照明光学系４０，３４０，４４０Ｒ，４４０Ｇ，４４０Ｂによる結像を僅かにデフォーカスさせればよい。このようなデフォーカスによって、液晶パネル上に隙間ＧＡが鮮明に投影されることを防止でき、液晶パネルを実質的に均一に照明することができる。
【００４７】
図６（ｂ）は、図３（ｂ）に対応するものであり、光源装置の発光部６３１が、第１〜第３の部分領域６３１ａ〜６３１ｃに分かれている。これらの部分領域６３１ａ〜６３１ｃも、ＬＥＤ素子が独立したり、電極が遮蔽体となる場合に形成される。この場合、発光部６３１全体としては、長方形で縦横比が９：１６の輪郭となっているので、液晶パネル上における有効領域の縦横比は、図３（ａ）に示すように９：１６であればよい。この際、照明光学系４０，３４０，４４０Ｒ，４４０Ｇ，４４０Ｂによる結像を僅かにデフォーカスさせることにより、液晶パネル上に隙間ＧＡが鮮明に投影されることを防止でき、液晶パネルを均一に照明することができる。
【００４８】
なお、この発明は、上記の実施形態に限られるものではなく、その要旨を逸脱しない範囲において種々の態様において実施することが可能であり、例えば次のような変形も可能である。
【００４９】
上記実施形態のプロジェクタ１０，４１０では、液晶パネル６１，２６１上の有効領域ＥＡ，ＥＡ’が長方形の輪郭を有し、これらに対応して、発光部３１，１３１，２３１，５３１，６３１も長方形の輪郭を有するが、液晶パネル６１，２６１上の有効領域ＥＡ，ＥＡ’が例えば円形や多角形であれば、発光部３１，１３１，２３１，５３１，６３１も対応する相似形状する。これにより、簡易なクリティカル照明系を用いつつも、液晶パネル６１，２６１上において均一な照度分布を達成することができる。
【００５０】
また、上記実施形態では、照明光学系４０が単独のレンズで形成されているが、複数のレンズによって照明光ＩＬの結像に関して収差補正を行うことも可能である。
【００５１】
また、上記実施形態では、発光装置２２が平坦な射出面を有するパッケージ２６を用いているが、パッケージ２６の射出面を凸面や凹面とすることもでき、照明光学系４０と協働して液晶パネル６１等に対してクリティカル照明を行うことができる。
【００５２】
また、上記実施形態では、液晶パネル６１，２６１を透過型のものとしているが、反射型の液晶パネルであっても、図１等に示す光源装置２０、照明光学系４０等を活用することができる。
【００５３】
また、液晶パネル６１，２６１に代えて、デジタル・マイクロミラー・デバイスを用いることもでき、この場合も、図１等に示す光源装置２０、照明光学系４０等を活用してデジタル・マイクロミラー・デバイスを照明することができる。
【００５４】
また、プロジェクタとしては、投射面を観察する方向から画像投射を行う前面プロジェクタと、投射面を観察する方向とは反対側から画像投射を行う背面プロジェクタとがあるが、図１に示すプロジェクタの構成は、いずれにも適用可能である。
【００５５】
また、上記実施形態では、光変調部６０，４６０Ｒ，４６０Ｇ，４６０Ｂで形成された像光を投射レンズ８０によって適当な拡大率でスクリーンに投射しているが、光変調部６０，４６０Ｒ，４６０Ｇ，４６０Ｂを直接観察するタイプの表示装置とすることも可能である。
【図面の簡単な説明】
【００５６】
【図１】第１実施形態に係るプロジェクタの光学系を説明する図である。
【図２】（ａ）は、光変調部に設けた液晶パネルの正面構造を示し、（ｂ）〜（ｄ）は、光源装置に形成された発光部の正面構造等を示す。
【図３】（ａ）は、光変調部に設けた変形例の液晶パネルの正面構造を示し、（ｂ）及び（ｃ）は、光源装置に形成された発光部の正面構造を示す。
【図４】第２実施形態に係るプロジェクタの光学系を説明する図である。
【図５】第３実施形態に係るプロジェクタの光学系を説明する図である。
【図６】第４実施形態に係るプロジェクタの光学系を説明する図である。
【符号の説明】
【００５７】
１０，４１０…プロジェクタ、  ２０，３２０…光源装置、  ２２…発光装置、  ２４…ＬＥＤチップ、  ２６…パッケージ、  ３１，１３１，２３１，５３１，６３１…発光部、  ４０，３４０，４４０Ｒ，４４０Ｇ，４４０Ｂ…照明光学系、  ６０，４６０Ｒ，４６０Ｇ，４６０Ｂ…光変調部、  ６１，２６１…液晶パネル、  ６３，６４…偏光フィルタ、  ８０…投射レンズ、  ４９０…クロスダイクロイックプリズム、  ＡＰ…開口、  ＥＡ，ＥＡ’…有効領域、  ＩＡ…照明領域、  ＩＬ…照明光
【図１】
2006126394.tif 000003
【図２】
2006126394.tif 000004
【図３】
2006126394.tif 000005
【図４】
2006126394.tif 000006
【図５】
2006126394.tif 000007
【図６】
2006126394.tif 000008